(57)【特許請求の範囲】
【請求項１】
フィルタ係数ｂ及びｃを出力するフィルタ係数出力手段と、
外部より供給される、所定の周波数を有する楽音信号に対して、前記フィルタ係数出力手段より出力されたフィルタ係数ｂ及びｃで規定されるフィルタ特性に基づくフィルタ処理を施すために、下記の伝達関数Ｈ（ｚ）を有するフィルタ手段と、を備えたフィルタ装置であって、
0005549691.tif 000016
前記フィルタ係数出力手段が、
サンプリング周波数ｆｓの１／２での最大ゲインをＡとすると、当該最大ゲインの１／２のゲインとなる周波数をｆ0とした場合、前記フィルタ係数ｂ及びｃを、
0005549691.tif 000017
0005549691.tif 000018
の演算により算出して前記フィルタ手段に出力することを特徴とするフィルタ装置。
【請求項２】
前記供給される楽音信号の周波数及び強度に対応して最大ゲインＡ及び周波数ｆ0を決定することを特徴とする請求項１に記載のフィルタ装置。
【請求項３】
前記フィルタ係数出力手段はさらに、前記最大ゲインＡを、時間の経過に伴って変化させるエンベロープ発生手段を有することを特徴とする請求項１または２に記載のフィルタ装置。
【請求項４】
外部操作により発音すべき楽音の周波数及び強度を指示する発音指示手段と、
前記周波数に基づき第１のパラメータを生成するとともに、前記強度に基づき第２のパラメータを算出する制御手段と、
前記制御手段により算出された第１及び第２のパラメータに基づいて決定される周波数及びレベルに対応するフィルタ係数の組をパラメータテーブルから取り出すフィルタ係数生成手段と、
供給される楽音信号に対して、このフィルタ係数生成手段からのフィルタ係数の組により規定されるフィルタ特性に基づくフィルタリング処理を施して出力するフィルタ手段と、
を備えた電子楽器において、
前記フィルタ手段は、フィルタ係数をｂ及びｃとした場合、伝達関数Ｈ（ｚ）が
0005549691.tif 000019
であり、
かつ前記フィルタ係数生成手段は、前記第２のパラメータをサンプリング周波数ｆｓの１／２での最大ゲインをＡとし、当該最大ゲインの１／２のゲインとなる周波数ｆ0を前記第１のパラメータとした場合に、前記フィルタ係数ｂ及びｃを、
0005549691.tif 000020
0005549691.tif 000021
の演算により算出して前記フィルタ手段に出力することを特徴とする電子楽器。
【請求項５】
前記フィルタ係数生成手段はさらに、前記最大ゲインＡを時間の経過に伴って変化させるエンベロープ発生手段を有することを特徴とする請求項４に記載の電子楽器。
【発明の詳細な説明】
【技術分野】
【０００１】
本発明は、フィルタ装置および当該フィルタ装置を搭載した電子楽器に関する。
【背景技術】
【０００２】
従来から、電子楽器では演奏の強弱、および、時間経過に応じて、楽音の音色を変化させるためにディジタルフィルタを搭載している。ディジタルフィルタを使用することで、原波形、たとえば、ＰＣＭ波形の所望の周波数成分の遮断や増強により音色を変化させる。従来のディジタルフィルタでは、カットオフ周波数ｆｃおよびバンド幅Ｑなどのパラメータを制御することで音色変化を実現するのが一般的である。このような制御は、アナログシンセサイザにおいてアナログフィルターを制御した頃から継承されている。
【０００３】
たとえば、自然楽器の音色変化は、基音に対する倍音の振幅比率が変化することによって生ずる。特に、演奏の強弱による音色変化において、強く演奏する（たとえばピアノでは強く打鍵する）ほど高次倍音の振幅比率が大きくなる。その一方、弱く演奏する（ピアノでは弱く打鍵する）ほど高次倍音の振幅比率は小さくなる。
【０００４】
図１６（ａ）、（ｂ）は、アコースティックピアノの波形を示すグラフであり、図１６（ａ）は、フォルテシモで打鍵したときの波形、図１６（ｂ）はメゾピアノで打鍵したときの波形である。図１７（ａ）、（ｂ）は、図１６（ａ）、（ｂ）のそれぞれの波形から算出されたスペクトルを示すグラフである。図１７（ａ）、（ｂ）において、横軸（周波数軸）はリニアであり、縦軸はｄＢである。これらは、図１６（ａ）、（ｂ）に示す波形の発音開始近傍から４０９６サンプルを、ブラックマン（Blackmann）の窓関数で切り取ったものに基づいて算出されている。
【０００５】
図１８は、図１７（ａ）、（ｂ）に示すスペクトルから抽出したスペクトラム・エンベロープを示す図である。図１８に示すように、スペクトラム・エンベロープは、基本波から高調波に向かってほぼ一定の傾きをもち、かつ、その傾きが、演奏の強さにより一様に変化することがわかる。図１８の例では、演奏の強さが強くなるのにしたがって、傾きが大きくなる（つまり０に近づく）。したがって、電子楽器においてフィルタ回路によって、音色を変化させる場合にも、フィルタ回路が、図１８に示すようなスペクトラム・エンベロープを持つようなフィルタ特性を持っているのが望ましい。
【先行技術文献】
【特許文献】
【０００６】
【特許文献１】特開平４−７８２１３号公報
【発明の概要】
【発明が解決しようとする課題】
【０００７】
従来のフィルタの伝達関数を（１）式に示す。
【０００８】
【数１】
0005549691.tif 000002
なお、ω０＝２πｆｃ／ｆｓ  （０＜ω０＜１）
ここに、ｆｃはカットオフ周波数、ｆｓはサンプリング周波数、ω０はカットオフ角周波数、Ｑは選択度を表す。
【０００９】
従来のフィルタ回路においては、フィルタ特性をω０（或いはｆｃ）とＱとによって変化させるため、フィルタ回路は、パラメータとしてω０（或いはｆｃ）およびＱを受け入れ、これに基づいて、その特性を変化させるように構成されている。
【００１０】
図１９は、（１）式に示す特性をもつ二次ＩＩＲフィルタにおいて、パラメータとしてｆｃを変更したときのフィルタ特性を示すグラフである。図１９においても、横軸（周波数軸）はリニア（０〜１０ｋＨｚ）であり、縦軸はｄＢである。図１９に示すように、ｆｃを変更しても、変更されたフィルタ特性は、図１７（ａ）、（ｂ）、図１８に示すような特性とは程遠く、したがって、カットオフ周波数を制御してピアノ音色の変化と同等の変化を実現することが非常に難しいという問題点があった。
【００１１】
また、現在、電子楽器においては、ＰＣＭ方式を採用しているものが多い。このＰＣＭ方式においては、楽音の発生時（アタック時）のアタック時波形と、それ以降の繰り返し用の波形の波形データを波形メモリに記憶しておき、アタック時以降には、繰り返し用の波形の波形データを繰り返して読み出すことで、波形メモリの容量を小さくしている。しかしながら、同じ波形を繰り返すだけでは、音色が固定され単調となるため、フィルタ回路によって音色を時間経過にともなって変化させている。特に、アコースティックピアノは、時間経過にともなって高次倍音ほど速く減衰する。このような変化を従来のフィルタ回路において実現することは不可能であった。
【００１２】
たとえば、特許文献１には、カットオフ周波数ｆｃではなく、伝達特性が変化し始める特定の周波数ｆ０とその変化率をパラメータとするフィルタが提案されている。しかしながら、特許文献１に開示されたフィルタを用いても、特に、ピアノ音色の変化と同等の変化を実現することは困難であった。特に、所定の周波数における減衰或いは増強の最大レベルから所定の比率となる周波数（以下、本明細書においては、「遷移周波数」と称する）が、パラメータの変化により移動するという問題点があった。
【００１３】
さらに、電子楽器では、ピアノなどの自然楽器音の生成だけではなく、いわゆるシンセサイザならでは、自然楽器では出せないような音色を生成する必要もある。したがって、電子楽器のディジタルフィルタが自然楽器音の音色変化に適した周波数特性だけを備えるのでは、様々な音楽ジャンルに対応することができないという問題点があった。
【００１４】
本発明は、自然楽器の音色変化と同等の音色変化を実現できるだけではなく、いわゆるシンセサイザならではの音色変化も実現可能なフィルタ装置および電子楽器を提供することを目的とする。
【課題を解決するための手段】
【００１５】
本発明の目的は、フィルタ係数ｂ及びｃを出力するフィルタ係数出力手段と、外部より供給される、所定の周波数を有する楽音信号に対して、前記フィルタ係数出力手段より出力されたフィルタ係数ｂ及びｃで規定されるフィルタ特性に基づくフィルタ処理を施すために、下記の伝達関数Ｈ（ｚ）を有するフィルタ手段と、を備えたフィルタ装置であって、
0005549691.tif 000003
前記フィルタ係数出力手段が、
サンプリング周波数ｆｓの１／２での最大ゲインをＡとすると、当該最大ゲインの１／２のゲインとなる周波数をｆ０とした場合、前記フィルタ係数ｂ及びｃを、
0005549691.tif 000004
0005549691.tif 000005
の演算により算出して前記フィルタ手段に出力することを特徴とするフィルタ装置により達成される。
【００１６】
好ましい実施態様において、前記供給される楽音信号の周波数及び強度に対応して最大ゲインＡ及び周波数ｆ０を決定することを特徴とする。
【００１７】
別の好ましい実施態様においては、前記フィルタ係数出力手段はさらに、前記最大ゲインＡを、時間の経過に伴って変化させるエンベロープ発生手段を有する。
【００２２】
さらに、本発明の目的は、外部操作により発音すべき楽音の周波数及び強度を指示する発音指示手段と、
前記周波数に基づき第１のパラメータを生成するとともに、前記強度に基づき第２のパラメータを算出する制御手段と、
前記制御手段により算出された第１及び第２のパラメータに基づいて決定される周波数及びレベルに対応するフィルタ係数の組をパラメータテーブルから取り出すフィルタ係数生成手段と、
供給される楽音信号に対して、このフィルタ係数生成手段からのフィルタ係数の組により規定されるフィルタ特性に基づくフィルタリング処理を施して出力するフィルタ手段と、
を備えた電子楽器において、
前記フィルタ手段は、フィルタ係数をｂ及びｃとした場合、伝達関数Ｈ（ｚ）が
0005549691.tif 000006
であり、
かつ前記フィルタ係数生成手段は、前記第２のパラメータをサンプリング周波数ｆｓの１／２での最大ゲインをＡとし、当該最大ゲインの１／２のゲインとなる周波数ｆ0を前記第１のパラメータとした場合に、前記フィルタ係数ｂ及びｃを、
0005549691.tif 000007
0005549691.tif 000008
の演算により算出して前記フィルタ手段に出力することを特徴とする電子楽器により達成される。
【００２３】
好ましい実施態様においては前記フィルタ係数生成手段はさらに、前記最大ゲインＡを時間の経過に伴って変化させるエンベロープ発生手段を有する。
【発明の効果】
【００２４】
本発明によれば、自然楽器の音色変化と同等の音色変化を実現できるだけではなく、いわゆるシンセサイザならではの音色変化も実現可能なフィルタ装置および電子楽器を提供することが可能となる。
【図面の簡単な説明】
【００２５】
【図１】図１は、本発明の実施の形態にかかる電子楽器の概略を示すブロックダイヤグラムである。
【図２】図２は、本実施の形態にかかる楽音発生回路をより詳細に示すブロックダイヤグラムである。
【図３】図３は、演奏強弱によるアコースティックピアノの音色フィルタを実現するための理想的なフィルタ特性を説明する図である。
【図４】図４は、ある遷移周波数で、ゲインを変更したときの二次ＩＩＲフィルタの特性を示す。
【図５】図５は、図４に示すフィルタ特性を実現するための、二次のフィルタ係数を示すグラフである。
【図６】図６は、本実施の形態におけるフィルタ特性およびパラメータテーブルを説明するための図である。
【図７】図７は、あるバンド幅（Ｑ＝２）において、カットオフｆｃを変化させたときの、それぞれのフィルタ特性（周波数特性）を示すグラフである。
【図８】図８は、カットオフｆｃのそれぞれの状態におけるフィルタ係数ｂ〜ｄを示すグラフである。
【図９】図９は、本実施の形態にかかるフィルタ係数算出回路の構成を示すブロックダイヤグラムである
【図１０】図１０は、本実施の形態にかかるパラメータテーブルの例を示す図である。
【図１１】図１１は、本実施の形態にかかる補間回路をより詳細に示すブロックダイヤグラムである。
【図１２】図１２は、本実施の形態にかかるフィルタ回路の概略を示すブロックダイヤグラムである。
【図１３】図１３は、本実施の形態にかかる二次元補間を説明する図である。
【図１４】図１４は、本実施の形態にかかるフィルタ係数算出の際のタイミングチャートである。
【図１５】図１５は、第２の実施の形態にかかるパラメータテーブルの例を示す図である。
【図１６】図１６（ａ）、（ｂ）は、アコースティックピアノの波形を示すグラフである。
【図１７】図１７（ａ）、（ｂ）は、図１６（ａ）、（ｂ）のそれぞれの波形から算出されたスペクトルを示すグラフである。
【図１８】図１８は、図１７（ａ）、（ｂ）に示すスペクトルから抽出したスペクトラム・エンベロープを示す図である。
【図１９】図１９は、従来の帰還形二次フィルタにおいて、パラメータとしてｆｃを変更したときのフィルタ特性を示すグラフである。
【発明を実施するための形態】
【００２６】
以下、添付図面を参照して、本発明の実施の形態について説明する。図１は、本発明の実施の形態にかかる電子楽器の概略を示すブロックダイヤグラムである。図１に示すように、電子楽器は、マイクロコンピュータ１、ＲＯＭ（Read  Only  Memory）２、ＲＡＭ（Random  Access  Memory）３、スイッチ類４、タッチ検出回路５、鍵盤６、楽音発生回路７、波形ＲＯＭ８、Ｄ／Ａ変換器（ＤＡＣ）９、増幅回路１０およびスピーカ１１、１２を備えている。マイクロコンピュータ１、ＲＯＭ２、ＲＡＭ３および楽音発生回路７は、データバス１３に接続され、タッチ検出回路５はマイクロコンピュータ１に接続される。
【００２７】
マイクロコンピュータ１は、電子楽器全体を制御し、プログラムやデータを格納したＲＯＭ２から、プログラムやデータを読み出して、プログラムを実行する。プログラムの実行にて生成されるデータなどはワークエリアであるＲＡＭ３に記憶される。スイッチ類４は、電子楽器のコンソールパネル上に配置されている。マイクロコンピュータ１は、演奏者によるスイッチ類４の操作を検出する。タッチ検出回路５は、所定のタイミングで鍵盤６に対して走査信号を送出し、各鍵盤６の鍵に配置された２つのスイッチのオンに応答して、演奏操作データ（音高およびタッチレスポンスデータ）を生成して、マイクロコンピュータ１に出力する。本実施の形態において、鍵盤６は８８個の鍵を有し、各鍵には、その長手方向に２つのスイッチが配置され、鍵の押下によってまず第１のスイッチがオンされ、さらに、鍵が押下されることにより第２のスイッチがオンされるようになっている。
【００２８】
マイクロコンピュータ１は、スイッチ類４の操作により指定された音色と、および、タッチ検出回路５から出力されたタッチレスポンスデータおよび音高を含む演奏操作データとに基づき、楽音発生回路７を制御して、所定の楽音を発生させる。楽音発生回路７は、波形ＲＯＭ８から指定された音色の波形データを読み出して、演奏操作データにしたがった音高および音量（ベロシティ）の楽音を生成してＤＡＣ９に出力する。ＤＡＣ９は、楽音発生回路７から出力されたディジタルデータをアナログ信号に変換する。アナログ信号は増幅回路１０を介してスピーカ１１、１２から放音される。
【００２９】
図２は、本実施の形態にかかる楽音発生回路をより詳細に示すブロックダイヤグラムである。図２に示すように、楽音発生回路７は、インタフェース２０、波形発生回路２１、フィルタ回路２２、乗算回路２３、ミキサ２４、第１のエンベロープ発生回路２５、フィルタ係数算出回路２６、第２のエンベロープ発生回路２７を有している。インタフェース２０、波形発生回路２１、フィルタ回路２２、ミキサ２４、第１のエンベロープ発生回路２５、フィルタ係数算出回路２６および第２のエンベロープ発生回路２７は、内部バス２８に接続される。
【００３０】
インタフェース２０は、図１に示すデータバス１３と接続され、楽音発生回路７内の、波形発生回路２１、フィルタ回路２２などの各演算ユニットに、内部バス２８を介して設定データなどを書き込む。波形発生回路２１は、波形ＲＯＭ８と接続され、波形ＲＯＭ８の所定のアドレスから、ＰＣＭデータを読み出して、演奏操作データ中の音高に対応する周波数の楽音波形データを生成する。
【００３１】
フィルタ係数回路２６は、インタフェース２０を介してマイクロコンピュータ１から与えられた演奏操作信号に基づくパラメータと、第１のエンベロープ発生回路２５から出力され、時間変化する第１のエンベロープ信号とにしたがってフィルタ係数を算出する。第１のエンベロープ信号により、その周波数特性に変化が与えられ、フィルタ係数は時間の経過とともに変化する。フィルタ回路２２は、フィルタ係数にしたがって、楽音波形データにフィルタ処理を施す。
【００３２】
乗算器２３は、楽音波形データと、第２のエンベロープ発生回路２７から出力される、時間変化する第２のエンベロープ信号とを乗算する。これにより、鍵盤６の鍵のオン・オフにしたがった楽音の立ち上がり、立下りや、タッチレスポンスデータにしたがった音量を制御する。なお、波形発生回路２１、フィルタ回路２２、第１のエンベロープ発生回路２５、フィルタ係数算出回路２６、乗算器２３および第２のエンベロープ発生回路２７は、最大同時発音数の処理を時分割に行うことによって、鍵盤演奏に十分なチャンネル数の楽音を生成することができる。ミキサ２４は、生成された最大同時発音数のチャンネルの楽音を、それぞれ、所定の重みで累算して、最終的に、左右２つのチャンネルの楽音として配分する。ミキサ２４の出力は、ＤＡＣ９に出力される。
【００３３】
以下、本実施の形態にかかるフィルタ回路２２およびフィルタ係数算出回路２６の概略について説明する。本実施の形態においては、主として自然楽器の音色変化に適したフィルタ特性に対応するアコースティック楽器用フィルタ特性、および、主としていわゆるシンセサイザの音色変化に適したフィルタ特性に対応するシンセサイザ用フィルタ特性の双方のフィルタ特性を備えることができる。
【００３４】
以下、アコースティック楽器用フィルタ特性について説明する。図３は、演奏強弱によるアコースティックピアノの音色フィルタを実現するための理想的なフィルタ特性を説明する図である。図３において縦軸はゲイン、横軸はリニアな周波数を表す。
【００３５】
図３に示すように、理想的なフィルタ特性においては、図１７に示すアコースティックピアノのスペクトラム・エンベロープから類推されるもので、基本波に対する倍音成分が、基本波に基づく一定のポイントからほぼリニアに減衰していくようなものとなっている。また、その傾きは、音量が小さい場合には小さく（つまり右下がりの度合いが大きく：傾きが小さく）、音量が大きくなるにしたがって大きくなる（つまり右下がりの度合いが小さくなり、より水平に近くなる：傾きが大きくなる）。
【００３６】
以下、基本波に基づいてリニアに減衰し或いは増強を始めるポイント（周波数）を基準周波数、サンプリング周波数ｆｓの１／２の周波数における減衰量（ｄＢ）をゲイン、ゲインに対して所定の比率となるような周波数（本実施の形態においては、ｆｓ／２における減衰量の１／２となるような周波数）を遷移周波数と称する。また、基準周波数からのリニアに減衰し或いは増強する度合いを傾きと称する。傾きは、周波数軸をｘ軸、減衰量をｙ軸とする。したがって、負の減衰量が大きくなるほど、周波数特性における傾きは小さくなり、負の減衰量が０に近づくほど、その傾きは大きくなり０に近づく。正の現推量が大きくなるほど、周波数特性における傾きは大きくなる。
【００３７】
また、本実施の形態において、基本波が変化することにより基準周波数は変化する。また、基準周波数の変化に伴って遷移周波数も一定の規則で変化する。
【００３８】
本実施の形態においては、後述するように、フィルタ回路は、基本波に基づいて変化する遷移周波数と、フィルタの深さを示すゲインとによって制御される。これによって、アコースティックピアノの実際の音色変化とほぼ同様な、基本波に対する高調波成分の制御を実現する。
【００３９】
なお、本実施の形態においては、高調波成分を減衰させるだけでなく、増強する場合も考えている。これは、波形ＲＯＭ８のＰＣＭデータからの音色をより広範囲に変化させるためである。このような特性を実現するには、ＦＩＲ（Finite  Impulse  Response：有限インパルス応答）フィルタが適する。しかしながら、ＦＩＲフィルタは演算量が多く、大規模なハードウェアを要する。そこで、本実施の形態においては、図３に示す理想のフィルタ特性に近似した特性を、低次のＩＩＲ（Infinite  Impulse  Resonance：無限インパルス応答）フィルタで実現し、フィルタ係数を、理想のフィルタ特性とほぼ同等となるように制御している。
【００４０】
上述したようなフィルタ特性を有するフィルタを得るためには、様々な方法が考えられるが、演算量を最小限にするために、一次ＩＩＲフィルタでの近似を試み、それを拡張することにより、理想に近い周波数特定を得た。まず、一次ＩＩＲフィルタの伝達関数を（２）式と考える。
【００４１】
【数２】
0005549691.tif 000009
（２）式において、最大ゲイン（つまり、サンプリング周波数ｆｓの１／２の周波数での最大ゲインをＡ）とすると、Ａは、（３）式のように表すことができる。
【００４２】
【数３】
0005549691.tif 000010
また、遷移周波数ｆ０のときに、最大ゲインの１／２のゲインとなるとすると、（４）式が導き出される。
【００４３】
【数４】
0005549691.tif 000011
上記（３）式および（４）式を解くと、係数ｂ、ｃは（５）式および（６）式に示すようになる。
【００４４】
【数５】
0005549691.tif 000012
【００４５】
【数６】
0005549691.tif 000013
したがって、（２）式に示す一次ＩＩＲフィルタの係数ｂ、ｃは、最大ゲインＡおよび遷移周波数ｆ０とから、（５）式および（６）式に示すように求めることができる。なお、上記（５）式からフィルタ係数には２通りのセットが存在するが、その係数範囲から制御しやすい方を選択すればよい。
【００４６】
一次ＩＩＲフィルタは、その減衰特性が穏やか過ぎる。そこで、本実施の形態においては、遷移周波数の異なる２つの一次フィルタＩＩＲを直列に接続し、二次ＩＩＲフィルタとすることにより、より理想フィルタに近似したフィルタ特性を得ている。（７）式は、一次ＩＩＲフィルタを直列に接続した二次ＩＩＲフィルタの伝達関数を示す図である。
【００４７】
【数７】
0005549691.tif 000014
図４は、ある遷移周波数で、ゲインを変更したときの二次ＩＩＲフィルタの特性を示す。図４に示す特性は、図３に示す理想的な特性に近似していることが理解できる。なお、本実施の形態においては、二次ＩＩＲフィルタにより理想フィルタを近似しているが、フィルタの次数を上げることにより、その特性を、さらに理想フィルタの特性と近似させることが可能である。
【００４８】
図５は、図４に示すフィルタ特性を実現するための、二次のフィルタ係数を示すグラフである。なお、横軸は負のゲインのレベルを表す。レベル１は、最も負のレベルが大きい（つまり、傾きが最小である）ようなゲインを表し、レベル０は、最も負のレベルが小さい（つまり、傾きが０である）ようなゲインを表す。このように、本実施の形態においては、レベル１〜９のそれぞれにおいて、フィルタ係数ｂ、ｃ、ｄ、ｅおよびｆが決定される。
【００４９】
正のゲインに対するフィルタ係数は、上記（７）式の分母と分子を入れ替えることにより算出できる（（８）式参照）。
【００５０】
【数８】
0005549691.tif 000015
したがって、負のゲインの係数のｂ〜ｆをそれぞれ、
ｂ：ｅ／ｄ、ｃ：ｆ／ｄ、ｄ：１／ｄ、ｅ：ｂ／ｄ、ｆ：ｃ／ｄ
と入れ替えることにより、正のゲイン特性のフィルタ係数を得ることができる。
【００５１】
本実施の形態においては、このフィルタ係数を演算により算出するのではなく、遷移周波数およびゲインをアドレスとするテーブル（パラメータテーブル）をフィルタ係数算出回路２６に設け、テーブルからデータ値を取り出し、さらにそのデータ値を補間することにより、適切なフィルタ係数を算出するようにしている。
【００５２】
図６は、本実施の形態におけるアコースティック用フィルタ特性およびアコースティック用フィルタ特性のパラメータテーブルを説明するための図である。アコースティック用フィルタ特性においては、遷移周波数を第１のパラメータ、ゲインのレベルを第２のパラメータとしている。
【００５３】
図６（ａ）は、ある基準周波数ｆ１に基づく遷移周波数Ｆ１のときのフィルタ特性を示す図である。先に述べたように、基本波の周波数にしたがって基準周波数ｆ１は決定される。たとえば、基準周波数は基本波とほぼ同じとしても良いし、基本波の所定倍数の周波数としても良い。図６（ａ）に示すように、単一の遷移周波数Ｆ１について、複数の傾きを有するフィルタ特性が考えられる。図６（ａ）の例では、負の特性（減衰する特性）として小さい方からゲインのレベルＧ１１、Ｇ１２、・・・Ｇ１ｉ（＝減衰「０」）、正の特性として、Ｇ１（ｉ＋１）、・・・Ｇ１（２ｉ−１）が示されている。また、基本波が異なることに伴って、基準周波数がｆ１からｆ２（ｆ１＜ｆ２）に変化した場合を考えると、図６（ｂ）に示すように、基準周波数の変更にともなって、遷移周波数Ｆ２は変更される。また、ゲインのレベルＧ２１、Ｇ２２、・・・、Ｇ２ｉ、・・・、Ｇ２（２ｉ−１）も変更され得る。
【００５４】
たとえば、図６（ａ）では、単一の遷移周波数Ｆ１について、２ｉ−１個のレベルが存在する。したがって、この例では、遷移周波数Ｆ１とあるレベルとの組み合わせについて、１つのフィルタ係数の組（ｂ、ｃ、ｄ、ｅ、ｆ）が存在する。つまり、２ｉ−１個のレベルがあれば、２ｉ−１個のフィルタ係数の組が存在する。図６（ｂ）についても同様である。したがって、遷移周波数がｎ種類存在すれば、ｎ×（レベルの数（図６の例では、（２ｉ−１））個のフィルタ係数の組が存在しえる。
【００５５】
遷移周波数ごとに各ゲインのフィルタ係数のセットを保持すると、膨大な大きさ（遷移周波数の設定数×ゲインの設定数×フィルタ係数の種類（５））のテーブルを用意する必要がある。そこで、遷移周波数の設定数およびゲインの設定数を限定して、これらの組み合わせに応じた一連のフィルタ係数を格納したテーブルのみを用意し、遷移周波数およびゲインの双方について補間（二次元の補間）を実現することで、テーブルのサイズを小さくし、かつ、フィルタ係数の適切化を実現している。
【００５６】
次に、シンセサイザ用フィルタ特性について説明する。シンセサイザ用フィルタ特性では、従来のシンセサイザのフィルタと同様に、バンド幅Ｑを第１のパラメータ、カットオフｆｃを第２のパラメータとしている。
【００５７】
図７は、Ｑ＝２において、カットオフｆｃを、３０００Ｈｚ、１７６５Ｈｚ、１０３８Ｈｚ、６１１Ｈｚ、３５９Ｈｚ、２１１Ｈｚ、１２４Ｈｚ、７３Ｈｚ、４３Ｈｚと指数的に変化させたときの、それぞれのフィルタ特性（周波数特性）を示すグラフである。また、図８は、カットオフｆｃのそれぞれの状態におけるフィルタ係数ｂ〜ｄを示すグラフである。なお、従来の二次ＩＩＲフィルタの伝達関数は、（９）式で表される。
【００５８】
Ｈ（ｚ）＝ｆ２／（１＋（−２＋ｆ２＋ｆ／Ｑ）ｚ−１＋（１−ｆ／Ｑ）ｚ−２）
・・・（９）
したがって、フィルタ係数ｅおよびｆは、ｅ＝０、ｆ＝０で固定となっている。
【００５９】
以下、本実施の形態にかかるフィルタ係数算出回路２６およびフィルタ回路２２の構成についてより詳細に説明する。
【００６０】
図９は、本実施の形態にかかるフィルタ係数算出回路の構成を示すブロックダイヤグラムである。図９に示すように、フィルタ係数算出回路２６は、インタフェース３１、加算器３２〜３４、パラメータテーブル３５、補間回路３６およびレジスタ３７〜４１を備える。また、図９には示していないが、フィルタ係数算出回路２６は、所定のタイミングで、パラメータテーブル３５へのアドレス信号のインクリメント信号Ｘ１、Ｙ１、および、パラメータテーブル３５の選択信号ＳＥＬを出力する制御回路を有している。
【００６１】
インタフェース３１は、楽音発生回路７の内部バス２８に接続され、マイクロコンピュータ１からインタフェース２０を介して送信される２種類のパラメータを受信して保持し、フィルタ算出回路２６に出力する。本実施の形態においては、アコースティック楽器用フィルタ特性に関する第１のパラメータである遷移周波数データＦ［１５：０］、および、第２のパラメータであるゲインデータＧ［１５：０］からなるパラメータの組、並びに、シンセサイザ用フィルタ特性に関する第１のパラメータであるバンド幅データＱ［１５：０］、および、第２のパラメータであるカットオフデータｆｃ［１５：０］からなるパラメータの組が、マイクロコンピュータ１からインタフェースに与えられる。
【００６２】
また、本実施の形態においては、インタフェース３１は、マイクロコンピュータ１からのアコースティック楽器用フィルタ特性或いはシンセサイザ用フィルタ特性を選択するフィルタモード選択信号Ａ／Ｓを受け入れ、フィルタモード選択信号Ａ／Ｓを、パラメータテーブル３５に出力する。本実施の形態において、フィルタモード選択信号Ａ／Ｓが「０」であるときには、アコースティック楽器用フィルタ特性に基づいてフィルタ係数算出回路２６は動作する。したがって、マイクロコンピュータ１からインタフェース３１には、第１のパラメータＰ１として遷移周波数データＦが与えられ、第２のパラメータＰ２として、ゲインデータＧが与えられる。
【００６３】
その一方、フィルタモード選択信号Ａ／Ｓが「１」であるときには、シンセサイザ用フィルタ特性に基づいてフィルタ係数算出回路２６は動作する。したがって、マイクロコンピュータ１からインタフェース３１には、第１のパラメータＰ１としてバンド幅データＱが与えられ、第２のパラメータＰ２として、カットオフデータｆｃが与えられる。
【００６４】
さらに、本実施の形態において、インタフェース３１は、マイクロコンピュータ１から、パラメータテーブル３５を書き換えるためのデータ、アドレスおよび種々の制御信号を受け入れ、これらをパラメータテーブル３５に出力する。図９において、ＷＲＢはパラメータテーブルへの書き込みイネーブル信号、Ｓはアドレスの切り替え信号である。また、図９において、Ｄはパラメータテーブル３５の書き込み用データ、ＡＤはパラメータテーブル３５の書き込み用アドレスである。
【００６５】
図９に示すように、第２のパラメータＰ２［１５：０］は加算器３２に与えられる。加算器３２にはもう一方の入力として、第１のエンベロープ発生回路２５から経時的に変化する第１のエンベロープ信号が与えられる。したがって、加算器から出力される第２のパラメータＰ２［１５：０］は、第１のエンベロープ信号に基づいて、その値が時間の経過に伴って変化する。
【００６６】
第２のパラメータＰ２［１５：０］のうち、Ｐ２［１５：１２］が加算器３３に与えられる。また、第１のパラメータＰ１［１５：０］のうちＰ１［１５：１３］が加算器３４に与えられる。加算器３３、３４においては、必要に応じて所定のタイミングでインクリメント信号「１」が加算され、パラメータテーブル３５のアドレスとして出力される。加算器３３においては、Ｐ２［１５：１２］の出力の次のタイミングで、インクリメント信号Ｘ１を加算することで、連続するアドレス（Ｐ２［１５：１２］＋１）を出力することができる。また、加算器３４においても、Ｐ１［１５：１３］の出力の次のタイミングで、インクリメント信号Ｙ１を加算することで、連続するアドレス（Ｐ１［１５：１３］＋１）を出力することができる。
【００６７】
パラメータテーブル３５の下位アドレスＡ［４：０］には、加算器３３からの信号が与えられ、その次に上位のアドレスＡ［８：５］には、加算器３４からの信号が与えられる。さらに、最上位アドレスＡ［１１：９］には制御回路（図示せず）からの選択信号ＳＥＬが与えられる。
【００６８】
図１０は、本実施の形態にかかるパラメータテーブルの例を示す図である。図１０に示すように、パラメータテーブル３５は、セレクタ１０１、オア回路１０２、１０４、インバータ１０３、メモリ１０５、１０６およびセレクタ１０７を有する。本実施の形態においては、メモリ１０５（ＲＡＭＡ）には、アコースティック用フィルタ特性の第１のパラメータ（遷移周波数データ）および第２のパラメータ（ゲインデータ）に基づくファイル係数が格納される。また、メモリ１０６（ＲＡＭＢ）は、シンセサイザ用フィルタ特性の第１のパラメータ（バンド幅データ）および第２のパラメータ（カットオフデータ）に基づくフィルタ係数が格納される。
【００６９】
本実施の形態において、たとえば、メモリ１０５には、９種類の遷移周波数×１７種類のゲイン（８種類のマイナスのゲイン、ゲイン「０」、および、８種類のプラスのゲイン）×５種類のフィルタ係数を記憶する。したがって、メモリ１０５は、９×１７×５＝７６５ワードのフィルタ数を記憶している。
【００７０】
同様に、メモリ１０５には、９種類のバンド幅×８種類のカットオフのそれぞれについて、５種類のフィルタ係数を記憶している。
【００７１】
たとえば、遷移周波数については、上位３ビット（８種類）の値を下位１３ビットで補間するため、９種類のアドレスが用意される。また、ゲインについては、上位４ビット（１６種類）の値を、下位１２ビットで補完するため、１７種類のアドレスが用意される。また選択信号ＳＥＬは、５種類の係数ｂ〜ｆの何れかを選択するために使用される。
【００７２】
図１０に示すように、ＷＲＢ信号とＡ／Ｓ信号とがオア回路１０２に与えられ、オア回路１０２の出力が、メモリ１０５のライトイネーブルとして入力される。その一方、ＷＲＢ信号とＡ／Ｓ信号のインバータ１０３による反転信号とがオア回路１０４に与えられ、オア回路１０４の出力が、メモリ１０６のライトイネーブルとして入力される。このライトイネーブルは「０」が入力されたときにメモリを書き込み可能とする。
【００７３】
また、セレクタ１０１は、Ｓ信号が「０」のときに、インタフェース３１から与えられる書き込み用アドレスＡＤ［１１：０］を選択し、Ｓ信号が「１」のときに、インタフェース３１から与えられるパラメータＡ［１１：０］を選択する。
【００７４】
メモリ１０５、１０６にデータを書き込むときに、マイクロコンピュータ１は、インタフェース３１に、所定の制御信号（ＷＲＢ信号、Ａ／Ｓ信号、Ｓ信号）を出力するとともに、アドレスＡＤおよびデータＤを出力する。
【００７５】
マイクロコンピュータ１からインタフェース３１を介して、ＷＲＢ信号「０」、Ａ／Ｓ信号「０」およびＳ信号「０」が与えられることより、メモリ１０５において、マイクロコンピュータ１からインタフェース３１を介して与えられた書き込み用アドレスＡＤ［１１：０］に、アコースティック用フィルタ特性に基づくフィルタ係数であるデータＤ［１９：０］が書き込まれる。
【００７６】
また、マイクロコンピュータ１からインタフェース３１を介して、ＷＲＢ信号「０」、Ａ／Ｓ信号「１」およびＳ信号「０」が与えられることより、メモリ１０６において、マイクロコンピュータ１からインタフェース３１を介して与えられた書き込み用アドレスＡＤ［１１：０］に、シンセサイザ用フィルタ特性に基づくフィルタ係数であるデータＤ［１９：０］が書き込まれる。
【００７７】
また、ＷＲＢ信号が「１」のときには、メモリ１０５、１０６は読み出し用となる。マイクロコンピュータ１は、スイッチ４において指定された音色が、アコースティック楽器の音色に属するものであれば、メモリ１０５からフィルタ係数を読み出すように、また、いわゆるシンセサイザ音色に属するものであれば、メモリ１０６からフィルタ係数を読み出すように、パラメータテーブル３５に対して、制御信号およびパラメータを出力する。
【００７８】
マイクロコンピュータ１からインタフェース３１を介して、ＷＲＢ信号「１」、Ａ／Ｓ信号「０」およびＳ信号「１」が与えられると、メモリ１０５においては、ＳＥＬ信号をＡ［１１：９］、第１のパラメータの所定の上位アドレスＰ１［１５：１３］をＡ［８：５］、第２のパラメータの所定の上位アドレスＰ２［１５：１２］をＡ［４：０］として、データが読み出される。セレクタ１０７にもＡ／Ｓ信号「０」が与えられているので、メモリ１０５からの出力が選択される。したがって、パラメータテーブル３５からは、遷移周波数およびゲインに基づく、補間前のフィルタ係数が出力される。
【００７９】
マイクロコンピュータ１からインタフェース３１を介して、ＷＲＢ信号「１」、Ａ／Ｓ信号「１」およびＳ信号「１」が与えられると、メモリ１０６においては、ＳＥＬ信号をＡ［１１：９］、第１のパラメータの所定の上位アドレスＰ１［１５：１３］をＡ［８：５］、第２のパラメータの所定の上位アドレスＰ２［１５：１２］をＡ［４：０］として、データが読み出される。セレクタ１０７にもＡ／Ｓ信号「１」が与えられているので、メモリ１０６からの出力が選択される。したがって、パラメータテーブル３５からは、バンド幅およびカットオフに基づく、補間前のフィルタ係数が出力される。
【００８０】
以下、本実施の形態にかかる補間回路３６について説明する。なお、説明の便宜上、パラメータテーブル３５から、遷移周波数およびゲインに基づく補間前のフィルタ係数が出力された場合について説明する。しかしながら、バンド幅およびカットオフに基づく補間前のフィルタ係数が出力された場合にも同様の補間演算が行われることはいうまでもない。
【００８１】
パラメータテーブル３５の出力、つまり補間前のフィルタ係数の組は、補間回路３６に与えられる。また、遷移周波数データの下位データＦ［１２：０］（図９におけるＰ１［１２：０］）およびゲインデータの下位データＧ［１１：０］（図９におけるＰ２［１２：０］）も補間回路３６に与えられる。補間回路３６においては、５種類の補間後のフィルタ係数ｂ〜ｆが算出されて出力される。レジスタ３７〜４１は、順次出力される補間後のフィルタ係数ｂ〜ｆをそれぞれ保持する。
【００８２】
図１１は、本実施の形態にかかる補間回路をより詳細に示すブロックダイヤグラムである。図１１に示すように、補間回路３６は、レジスタ５１〜５４、減算器５５、乗算器５６、加算器５７、レジスタ５８、減算器６５、乗算器６６、加算器６７、レジスタ６８、減算器７０、乗算器７１、および、加算器７２を有している。
【００８３】
減算器５５により、レジスタ５１の出力から、レジスタ５１の出力を減算した差分値が算出され、この差分値と、ゲインデータの下位データＧ［１１：０］（Ｐ２［１１：０］）とが乗算器５６において乗算され、乗算値は加算器５７に出力される。加算器５７は、乗算値と、レジスタ５１からの出力とを加算し、加算された値が、レジスタ５８に記憶される。
【００８４】
同様に、減算器６５により、レジスタ５３の出力から、レジスタ５４の出力を減算した差分値が算出され、この差分値と、ゲインデータの下位データＧ［１１：０］（Ｐ２［１１：０］）とが乗算器６６において乗算され、乗算値は加算器６７に出力される。加算器６７は、乗算値と、レジスタ５３からの出力とを加算し、加算された値が、レジスタ６８に記憶される。
【００８５】
さらに、減算器７０において、レジスタ５８の出力から、レジスタ６８の出力を減算した差分値が算出され、この差分値と、遷移周波数データの下位データＦ［１２：０］（Ｐ１［１１：０］）とが乗算器７１において乗算され、乗算値は加算器７２に出力される。加算器７２は、乗算値と、レジスタ５８からの出力とを加算する。加算器７２からの出力が、補間されたフィルタ係数となる。
【００８６】
図１２は、本実施の形態にかかるフィルタ回路の概略を示すブロックダイヤグラムである。図１２に示すように、フィルタ回路２２は、加算器８０，８８、乗算器８１、８２、８５、８６、８７、および、遅延回路８３、８４を有する。乗算器８１、８２、８５、８６、８７のそれぞれに、フィルタ係数算出回路２２にて算出されたフィルタ係数ｂ、ｃ、ｄ、ｅ、ｆが与えられ、乗算器のそれぞれの入力に印加される信号とフィルタ係数とが乗算される。
【００８７】
以下、本実施の形態にかかる二次元の補間について説明する。図１３は、本実施の形態にかかる二次元補間を説明する図である。説明の便宜のため、ｘ＝Ｇ［１５：１２］、ｄｘ＝Ｇ［１１：０］、ｙ＝Ｆ［１５：１３］、ｄｙ＝Ｆ［１２：０］とする。図１１のレジスタ５１〜５４には、以下の値が格納される。
【００８８】
レジスタ５１：ｏ［ｘ，ｙ］（なお、ｏ［ｘ，ｙ］は、アドレスｘｙでのパラメータテーブル３５の出力を表す。）
レジスタ５２：ｏ［ｘ＋１，ｙ］
レジスタ５３：ｏ［ｘ，ｙ＋１］
レジスタ５４：ｏ［ｘ＋１，ｙ＋１］
減算器５５により、レジスタ５２の出力ｏ［ｘ＋１，ｙ］からレジスタ５１の出力ｏ［ｘ，ｙ］が減算され、かつ、乗算器５６により、減算値とｄｘとが乗算される。その後、加算器５７により、乗算値とｏ［ｘ，ｙ］とが加算されてレジスタ５８に格納される。したがって、レジスタ５８には以下のような値が格納される。
【００８９】
レジスタ５８：ｏ［ｘ，ｙ］＋（ｏ［ｘ＋１，ｙ］−ｏ［ｘ，ｙ］）＊ｄｘ
＝ｏ［ｘ＋ｄｘ，ｙ］
図１３に示すように、これは、ｏ［ｘ，ｙ］とｏ［ｘ＋１，ｙ］との間をｄｘに基づいて直線補間したものに相当する。
【００９０】
また、減算器６５により、レジスタ５４の出力ｏ［ｘ＋１，ｙ＋１］からレジスタ５３の出力ｏ［ｘ，ｙ＋１］が減算され、かつ、乗算器６６により、減算値とｄｘとが乗算される。その後、加算器６７により、乗算値とｏ［ｘ，ｙ＋１］とが加算されてレジスタ５８に格納される。したがって、レジスタ６８には以下のような値が格納される。
【００９１】
レジスタ６８：ｏ［ｘ，ｙ＋１］＋
（ｏ［ｘ＋１，ｙ＋１］−ｏ［ｘ，ｙ＋１］）＊ｄｘ
＝ｏ［ｘ＋ｄｘ，ｙ＋１］
図１３に示すように、これは、ｏ［ｘ，ｙ＋１］とｏ［ｘ＋１，ｙ＋１］との間をｄｘに基づいて直線補間したものに相当する。
【００９２】
さらに、減算器７０により、レジスタ６８の出力ｏ［ｘ＋ｄｘ，ｙ＋１］からレジスタ５８の出力ｏ［ｘ＋ｄｘ，ｙ］が減算され、かつ、乗算器７１により、減算値とｄｙとが乗算される。その後、加算器７２により、乗算値とｏ［ｘ＋ｄｘ，ｙ］とが加算されて出力される。したがって、出力値は以下のようなものとなる。
【００９３】
出力値：ｏ［ｘ＋ｄｘ，ｙ］＋
（ｏ［ｘ＋ｄｘ，ｙ＋１］−ｏ［ｘ＋ｄｘ，ｙ］）＊ｄｙ
＝ｏ［ｘ＋ｄｘ，ｙ＋ｄｙ］
図１３に示すように、出力値は、ｏ［ｘ＋ｄｘ，ｙ］とｏ［ｘ＋ｄｘ，ｙ＋１］との間をｄｙに基づいて補間したものに相当する。したがって、得られた出力値は、ｄｘ、ｄｙに基づく二次元の補間値となる。
【００９４】
本実施の形態については、選択信号ＳＥＬを順次変更して、パラメータテーブル３５から、フィルタ係数ｂ、ｃ、ｄ、ｅ、ｆの補間前の値を出力することで、補間回路３６において、ｂ、ｃ、ｄ、ｅ、ｆの補間値が生成され出力される。
【００９５】
図１４は、フィルタ係数算出の際のタイミングチャートである。図１４において、Ｒ０〜Ｒ５は、それぞれ、図１１のレジスタ５１〜５４、５８、６８に対応し、Ｂ〜Ｆは、それぞれ、図９のレジスタ３７〜４１に相当する。
【００９６】
図１４において、信号Ｘ１より、アドレスＡ［４：０］が、「ｘ」或いは「ｘ＋１」に切り替えられ、また、信号Ｙ１により、アドレスＡ［８：５］が、「ｙ」或いは「ｙ＋１」に切り替えられる。また、選択信号ＳＥＬにより、アドレスＡ［９：１１］が変更される。最初のＹ１の一周期（符号１４０１参照）では、選択信号ＳＥＬは、「ｂ」を示すものであり、したがって、最初のＹ１の周期でパラメータテーブル３５に与えられる４種類のアドレスによって、フィルタ係数ｂに関するｏ［ｘ，ｙ］、ｏ［ｘ＋１，ｙ］、ｏ［ｘ，ｙ＋１］およびｏ［ｘ＋１，ｙ＋１］が出力され、それがＲ０〜Ｒ３に格納される。
【００９７】
Ｒ０、Ｒ１にそれぞれ格納されたｏ［ｘ，ｙ］、ｏ［ｘ＋１，ｙ］に基づいて、ｏ［ｘ＋ｄｘ，ｙ］が算出されて、これがＲ４に格納される。また、Ｒ２、Ｒ３にそれぞれ格納されたｏ［ｘ，ｙ＋１］およびｏ［ｘ＋１，ｙ＋１］に基づいて、ｏ［ｘ＋ｄｘ，ｙ＋１］が算出されて、これがＲ５に格納される。Ｒ４およびＲ５に格納されたｏ［ｘ＋ｄｘ，ｙ］およびｏ［ｘ＋ｄｘ，ｙ＋１］に基づいて、フィルタ係数ｂについての補間後の値ｂ［ｘ＋ｄｘ，ｙ＋ｄｙ］が算出されて、これがＢに格納される。
【００９８】
同様に、選択信号ＳＥＬが、「ｃ」、「ｄ」、「ｅ」および「ｆ」を示す場合には、最終的に、フィルタ係数ｃ〜ｆのそれぞれの補間後の値ｃ［ｘ＋ｄｘ，ｙ＋ｄｙ］、ｄ［ｘ＋ｄｘ，ｙ＋ｄｙ］、ｅ［ｘ＋ｄｘ，ｙ＋ｄｙ］およびｆ［ｘ＋ｄｘ，ｙ＋ｄｙ］が算出されて、算出された値は、それぞれＣ〜Ｆに格納される。
【００９９】
本実施の形態によれば、遷移周波数およびゲインに基づいてフィルタ係数を出力する第１のメモリ、および、バンド幅およびカットオフに基づいてフィルタ係数を出力する第２のメモリを設け、指定された音色にしたがって何れかのメモリからフィルタ係数が出力される。
【０１００】
遷移周波数は発音すべき楽音の基本波の周波数に基づくものであり、かつ、ゲインは、その減衰の程度（または増強の程度）を示す。したがって、直感的な理解が容易なパラメータによって、また、複雑な演算を行うことなく、アコースティック楽器、特に、アコースティックピアノのフィルタ特性にきわめて近似したフィルタ特性を有するディジタルフィルタを実現し、アコースティック楽器とほぼ同等の音色の楽音を出力することが可能となる。
【０１０１】
その一方、第２のメモリを用いて、従来のバンド幅およびカットオフに基づくフィルタ係数を出力することで、従来のフィルタ特性を有するディジタルフィルタを実現し、いわゆるシンセサイザならではの音色の楽音を出力することも可能である。
【０１０２】
また、本実施の形態によれば、第１のエンベロープ発生回路から時間変化するエンベロープデータが出力され、このエンベロープデータは、フィルタ係数算出回路にて、ゲインデータ、或いは、カットオフに加算される。したがって、ここでも簡単な回路構成で、フィルタによるゲインの減衰（或いは増強）の時間変化、或いは、カットオフの変化による減衰の時間変化を実現し、所望の音色の変化を実現することが可能となる。
【０１０３】
さらに、本実施の形態によれば、第１のパラメータ（遷移周波数データ或いはバンド幅データ）の上位ビット、および、第２のパラメータ（ゲインデータ或いはカットオフデータ）の上位ビットをアドレスとして、パラメータテーブルが粗いフィルタ係数を出力し、かつ、第１のパラメータの下位ビットおよび第２のパラメータの下位ビットにより、粗いフィルタ係数を二次元補正して、補正されたフィルタ係数を取得する。これにより、パラメータテーブルが格納するデータ（係数）の数をそれほど大きくすることなく、精度の良い適切なフィルタ係数を得ることが可能となる。
【０１０４】
次に、本発明の第２の実施の形態について説明する。第１の実施の形態においては、２つのメモリ（ＲＡＭＡおよびＲＡＭＢ）を備え、一方のメモリ（ＲＡＭＡ）にアコースティック楽器用フィルタ特性に基づくフィルタ係数を格納し、遷移周波数データおよびゲインデータをアドレスとしてフィルタ係数を出力し、他方のメモリ（ＲＡＭＢ）にシンセサイザ用フィルタ特性に基づくフィルタ係数を格納し、バンド幅データおよびカットオフデータをアドレスとしてフィルタ係数を出力している。無論、これは物理的に２つのメモリである必要はなく、単一のメモリのアドレス空間を２つに区切り、一方にはＲＡＭＡとしてアコースティック楽器用フィルタ特性に基づくフィルタ係数を格納し、他方にはＲＡＭＢとしてシンセサイザ用フィルタ特性に基づくフィルタ係数を格納する場合も含まれる。
【０１０５】
これに対して、第２の実施の形態においては、書き換え可能な単一のメモリを用いて、マイクロコンピュータ１からの制御により、アコースティック楽器用フィルタ特性に基づくフィルタ係数、或いは、シンセサイザ用フィルタ特性に基づくフィルタ係数の何れかを格納する。
【０１０６】
図１５は、本発明の実施の形態にかかるパラメータテーブルの例を示すブロックダイヤグラムである。図１５に示すように、パラメータテーブルは、セレクタ１１１およびメモリ１１２を有する。インタフェース３１からパラメータテーブルには、制御信号として、ＷＲＢ信号、Ｓ信号が与えられる。第１の実施の形態のようにメモリの切り替えは必要ないため、Ａ／Ｓ信号は省略される。それ以外のアドレスやデータは第１の実施の形態と同様である。
【０１０７】
メモリ１１２にデータを書き込むときに、マイクロコンピュータ１は、インタフェース３１に所定の制御信号（ＷＲＢ信号、Ｓ信号）を出力するとともに、アドレスＡＤおよびＤを出力する。
【０１０８】
マイクロコンピュータ１からインタフェース３１を介して、ＷＲＢ信号「０」およびＳ信号「０」が与えられることより、メモリ１１２において、マイクロコンピュータ１からインタフェース３１を介して与えられた書き込み用アドレスＡＤ［１１：０］に、フィルタ係数に相当するデータＤ［１９：０］が書き込まれる。
【０１０９】
たとえば、スイッチ４において指定された音色がアコースティック楽器の音色に属するものであれば、データＤとしてアコースティック楽器用フィルタ特性に基づくフィルタ係数が、メモリ１１２に書き込まれる。その後、マイクロコンピュータ１は、インタフェース３１を介して、ＷＲＢ信号「１」およびＳ信号「１」を与えることにより、メモリ１１２からは、遷移周波数データおよびゲインデータに基づくアドレスＡ［１１：０］に対応するフィルタ係数が出力される。
【０１１０】
スイッチ４において指定された音色がいわゆるシンセサイザの音色に属するものであれば、データＤとしてシンセサイザ用フィルタ特性に基づくフィルタ係数が、メモリ１１２に書き込まれる。その後、マイクロコンピュータ１は、インタフェース３１を介して、ＷＲＢ信号「１」およびＳ信号「１」を与えることにより、メモリ１１２からは、バンド幅データおよびカットオフデータに基づくアドレスＡ［１１：０］に対応するフィルタ係数が出力される。
【０１１１】
本発明は、以上の実施の形態に限定されることなく、特許請求の範囲に記載された発明の範囲内で、種々の変更が可能であり、それらも本発明の範囲内に包含されるものであることは言うまでもない。
【符号の説明】
【０１１２】
１      マイクロコンピュータ
２      ＲＯＭ
３      ＲＡＭ
４      スイッチ類
５      タッチ検出回路
６      鍵盤
７      楽音発生回路
８      波形ＲＯＭ
９      ＤＡＣ
１０    増幅回路
１１、１２  スピーカ
２０    インタフェース
２１    波形発生回路
２２    フィルタ回路
２３    乗算器
２４    ミキサ
２５    第１のエンベロープ発生回路
２６    フィルタ係数算出回路
２７    第２のエンベロープ発生回路
３５    パラメータテーブル
３６    補間回路
【図１】
0005549691.tif 000022
【図２】
0005549691.tif 000023
【図３】
0005549691.tif 000024
【図４】
0005549691.tif 000025
【図５】
0005549691.tif 000026
【図６】
0005549691.tif 000027
【図７】
0005549691.tif 000028
【図８】
0005549691.tif 000029
【図９】
0005549691.tif 000030
【図１０】
0005549691.tif 000031
【図１１】
0005549691.tif 000032
【図１２】
0005549691.tif 000033
【図１３】
0005549691.tif 000034
【図１４】
0005549691.tif 000035
【図１５】
0005549691.tif 000036
【図１６】
0005549691.tif 000037
【図１７】
0005549691.tif 000038
【図１８】
0005549691.tif 000039
【図１９】
0005549691.tif 000040